(57)【特許請求の範囲】
【請求項１】
ＧＰＳクロックによって制御局のデータを変調してＩＦ変調部に伝送し、ＩＦ復調部から伝送されたデータをＨＤＬＣデータに変換して制御局に伝送するチャネルカードにおいて、
基地局通話半径拡張のための制御信号（制御信号１ないし制御信号３）を発生する制御部と、
ＧＰＳクロック受信部から供給されるＧＰＳ基準信号を分配して複数個のシステムクロックとして出力するシステムクロック分配器と、
前記制御部の制御によって前記ＧＰＳクロック受信部から供給されるＧＰＳ基準信号を複数個に変換して基地局の通話半径拡張用クロックを発生する通話半径拡張用クロック発生装置と、
前記制御部の制御によって通話半径拡張用クロック発生装置で発生する複数個の通話半径拡張用クロックを領域１ないし領域４通話用基地局モデムに選択的に提供する拡張用クロック制御部と、
前記拡張用クロック制御部から出力される通話半径制御用クロック及び前記システムクロック分配器から出力されるシステムクロックによって動作して最小の通話半径を有する領域１から最大の通話半径を有する領域４における通話を担当する前記領域１ないし領域４通話用基地局モデムと
を含んで構成されたことを特徴とする基地局通話半径拡張用チャネルカード。
【請求項２】
前記最小の通話半径は６０Ｋｍであり、最大の通話半径は２４０Ｋｍであることを特徴とする請求項１に記載の基地局通話半径拡張用チャネルカード。
【請求項３】
前記拡張用クロック制御部は、
前記通話半径拡張用クロック発生装置から出力される通話半径拡張用クロック中第１の通話半径拡張用クロックを前記領域１通話用基地局モデムに通話半径拡張用第１クロックとして直接出力させることを特徴とする請求項１に記載の基地局通話半径拡張用チャネルカード。
【請求項４】
前記拡張用クロック制御部は、
前記制御部から出力される制御信号１によって通話半径拡張用クロック発生装置で発生する通話半径拡張用クロック中一つの通話半径拡張用クロックを選択して前記領域２通話用基地局モデムに通話半径制御用第２クロックとして出力する第１の４×１マックスと、前記制御部から出力される制御信号２によって通話半径拡張用クロック発生装置で発生する通話半径拡張用クロック中一つの通話半径拡張用クロックを選択して前記領域３通話用基地局モデムに通話半径制御用第３クロックとして出力する第２の４×１マックスと、前記制御部から出力される制御信号３によって前記通話半径拡張用クロック発生装置で発生する通話半径拡張用クロック中一つの通話半径拡張用クロックを選択して前記領域４通話用基地局モデムに通話半径制御用第４クロックとして出力する第３の４×１マックスとを備えたことを特徴とする請求項１に記載の基地局通話半径拡張用チャネルカード。
【請求項５】
前記領域１ないし領域４通話用基地局モデムは、
前記制御部の制御によって前記領域１通話用基地局モデムで通話半径が６０Ｋｍである領域の通話を担当し、前記領域２通話用基地局モデムで通話半径が１２０Ｋｍである領域の通話を担当し、前記領域３通話用基地局モデムで通話半径が１８０Ｋｍである領域の通話を担当し、前記領域４通話用基地局モデムで通話半径が２４０Ｋｍである領域の通話を担当することを特徴とする請求項１に記載の基地局通話半径拡張用チャネルカード。
【請求項６】
前記領域１ないし領域４通話用基地局モデムは、
前記制御部の制御によって領域１、２通話用基地局モデムが６０Ｋｍの通話半径をカバーして、領域３、４通話用基地局モデムが１２０Ｋｍの通話半径をカバーすることを特徴とする請求項１に記載の基地局通話半径拡張用チャネルカード。
【請求項７】
前記領域１ないし領域４通話用基地局モデムは、
前記制御部の制御によって領域１、２通話用基地局モデムが通話半径６０Ｋｍである領域の通話を担当し、領域３通話用基地局モデムが通話半径１２０Ｋｍである領域の通話を担当し、領域４通話用基地局モデムが通話半径１８０Ｋｍである領域の通話を担当することを特徴とする請求項１に記載の基地局通話半径拡張用チャネルカード。
【請求項８】
前記領域１ないし領域４通話用基地局モデムは、
前記制御部の制御によって領域１通話用基地局モデムが通話半径６０Ｋｍである領域の通話を担当し、領域２通話用基地局モデムが通話半径１２０Ｋｍである領域の通話を担当し、領域３通話用基地局モデムが通話半径１８０Ｋｍである領域の通話を担当し、領域４通話用基地局モデムが通話半径２４０Ｋｍである領域の通話を担当することを特徴とする請求項１に記載の基地局通話半径拡張用チャネルカード。
【発明の詳細な説明】
【０００１】
【発明の属する技術分野】
本発明は、基地局通話半径拡張用チャネルカードに関するものであり、特に、基地局モデムに供給されるＧＰＳ基準信号を制御することによって基地局の通話半径を最大４倍まで拡張できるようにした基地局通話半径拡張用チャネルカードに関するものである。
【０００２】
【従来の技術】
一般にＤＣＳ（Ｄｉｇｉｔａｌ  Ｃｅｌｌｕｌａｒ  Ｓｙｓｔｅｍ）、ＰＣＳ（Ｐｅｒｓｏｎａｌ  Ｃｏｍｍｕｎｉｃａｔｉｏｎ  Ｓｙｓｔｅｍ）などの移動通信システムの基地局には実際の通話を担当するチャネルカードが備わっており、このようなチャネルカードはいかなる基地局モデムを用いるのかによって基地局の通話半径を決定するようになる。
【０００３】
従来の基地局チャネルカードは図１に示されるつものと同じである。
【０００４】
ここで、ＨＤＬＣ（Ｈｉｇｈ  ｌｅｖｅｌ  Ｄａｔａ  Ｌｉｎｋ  Ｃｏｎｔｒｏｌ）部１は、制御局とデータを送受信する役割をし、ＣＰＵ２は、基地局システム全体動作をコントロールする役割をする。また、メモリ３は、前記ＨＤＬＣ部１及び後述する制御部５と連結されて各種制御データ及び生成データを貯蔵する。そして、ＧＰＳクロック受信部４は、ＧＰＳ（Ｇｌｏｂａｌ  Ｐｏｓｉｔｉｏｎｉｎｇ  Ｓｙｓｔｅｍ）から送られるクロックを受信する役割をし、このように受信したＧＰＳクロックを後述する基地局モデム６に伝達する。
【０００５】
チャネルカード内のあらゆるデバイスを制御する制御部５は、前記ＣＰＵ２、ＨＤＬＣ部１、メモリ３、基地局モデム６と各々連結されて前記ＣＰＵ２の制御によって周知したようにチャネルカード内のあらゆるデバイスを制御する。一方、通話を担当する基地局モデム６は、前記制御部５の制御を受け、前記ＧＰＳクロック受信部４から基準クロックの伝達を受けて動作する。同時にデータ受信部１０は、移動局から伝送されたデータをＩＦ復調部を通して伝達され前記基地局モデム６に伝達する役割をする。
【０００６】
また、直並列変換部７は、前記基地局モデム６、制御部５を経由した移動局送信データである直列データを並列データに変換するようになり、このように変換された並列データはＤ／Ａ変換部８でアナログデータに変換される。データ送信部９は、前記Ｄ／Ａ変換部８でアナログに変換されたデータをＩＦ（Ｉｎｔｅｒｍｅｄｉａｔｅ  Ｆｒｅｑｕｅｎｃｙ）変調部に伝達して、移動局に送信されるようにする。
【０００７】
【発明が解決しようとする課題】
前記のように動作する従来のチャネルカードは、一般基地局に用いられて半径６０Ｋｍの領域（Ｒｅｇｉｏｎ）のみをカバーしている。
【０００８】
したがって、通話半径が１２０Ｋｍ、１８０Ｋｍ、２４０Ｋｍに２倍、３倍、４倍に拡張された領域をカバーするための通話半径拡張用基地局では新しい通話半径拡張用チャネルカードを通話半径によって別途に開発して使用しなければならない。
【０００９】
前記のように、従来では一般基地局で用いるチャネルカードを通話半径拡張用基地局では使用できないので、通話半径拡張用基地局で別途に通話半径拡張用チャネルカードを開発しなければならないという、わずらわしい問題点があっただけでなく、該基地局毎に別途のチャネルカードを開発しなければならないので開発費用が多く所要される非経済的な問題点があった。
【００１０】
本発明は前記のような従来の通話半径拡張用基地局でチャネルカード使用時発生する諸般の問題点を解決するために提案されたものであり、本発明の目的は、基地局モデムに供給されるＧＰＳ基準信号を制御して基地局の通話半径を最大４倍まで拡張可能な一つのチャネルカードを具現することによって、一般基地局はもちろんのこと通話半径拡張用基地局で共通で使用できるようにした基地局通話半径拡張用チャネルカードを提供することにある。
【００１１】
【課題を解決するための手段】
前記のような目的を達成するための本発明による基地局通話半径拡張用チャネルカードは、ＧＰＳクロック受信部から供給されるＧＰＳ基準信号を分配して複数個のシステムクロックとして出力するシステムクロック分配器と、制御部の制御によって前記ＧＰＳクロック受信部から供給されるＧＰＳ基準信号を複数個に変換して基地局の通話半径拡張用クロックを発生する通話半径拡張用クロック発生装置と、前記制御部の制御によって通話半径拡張用クロック発生装置で発生する複数個の通話半径拡張用クロックを複数個の基地局モデムに選択的に提供する拡張用クロック制御部と、前記拡張用クロック制御部から出力される通話半径制御用クロック及び前記システムクロック分配器から出力されるシステムクロックによって動作して通話半径６０Ｋｍを有する領域１から通話半径２４０Ｋｍを有する領域４における通話を担当する前記複数個の基地局モデムを含んでチャネルカードを具現する。
【００１２】
【発明の実施の形態】
以下、前記のような技術的思想による本発明の望ましい実施の形態を添付した図面を参照しながら詳細に説明すると次のとおりである。
【００１３】
図２は、本発明による基地局通話半径拡張用チャネルカードの構造を示した図面であり、制御局とデータを受渡すＨＤＬＣ部１１と、ＣＰＵ１２と、各種制御データ及び生成データを貯蔵するメモリ１３と、ＧＰＳから送られるクロックを受信するＧＰＳクロック受信部１４と、チャネルカード内のあらゆるデバイスを制御する制御部１５と、前記ＧＰＳクロック受信部１４から供給されるＧＰＳ基準信号を分配して複数個のシステムクロックとして出力するシステムクロック分配器１６とを備える。
【００１４】
また、制御部１５の制御によってＧＰＳクロック受信部１４から供給されるＧＰＳ基準信号を複数個に変換して基地局の通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓを発生する通話半径拡張用クロック発生装置１７と、前記制御部１５の制御によって通話半径拡張用クロック発生装置１７で発生する複数個の通話半径拡張用クロックを複数個の基地局モデム１９−１〜１９−４に選択的に提供する拡張用クロック制御部１８とを備える。
【００１５】
また、前記拡張用クロック制御部１８から出力される通話半径制御用クロック及び前記システムクロック分配器１６から出力されるシステムクロックによって動作して通話半径６０Ｋｍを有する領域１から通話半径２４０Ｋｍを有する領域４における通話を担当する領域１〜４通話用基地局モデム１９−１〜１９−４と、前記領域１〜４通話用基地局モデム１９−１〜４から出力される直列データを並列データに変換する直並列変換部２０と、前記直並列変換部２０で変換された並列データをアナログデータに変換するＤ／Ａ変換部２１と、前記Ｄ／Ａ変換部２１でアナログに変換されたデータをＩＦ変調部に送信するデータ送信部２２と、ＩＦ復調部で伝送されるデータを受信して前記領域１〜４通話用基地局モデム１９−１〜１９−４に出力するデータ受信部２３とを備えている。
【００１６】
図３は、図２の拡張用クロック制御部１８の詳細構成図で、前記制御部１５から出力される制御信号１によって前記通話半径拡張用クロック発生装置１７で発生する４個の通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓ中一つの通話半径拡張用クロックを選択して前記領域２通話用基地局モデム１９−２に通話半径制御用クロック／ｒｅｇ２＿ｐｐ２ｓとして出力する第１の４×１マックス（ＭＵＸ）１８−１と、前記制御部１５から出力される制御信号２によって前記通話半径拡張用クロック発生装置１７で発生する４個の通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓ中一つの通話半径拡張用クロックを選択して前記領域３通話用基地局モデム１９−３に通話半径制御用クロック／ｒｅｇ３＿ｐｐ２ｓとして出力する第２の４×１マックス１８−２と、前記制御部１５から出力される制御信号３によって前記通話半径拡張用クロック発生装置１７で発生する４個の通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ１＿ｐｐ２ｓ中一つの通話半径拡張用クロックを選択して前記領域４通話用基地局モデム１９−４に通話半径制御用クロック／ｒｅｇ４＿ｐｐ２ｓとして出力する第３の４×１マックス１８−３で構成される。
【００１７】
また、前記拡張用クロック発生部１８は、前記通話半径拡張用クロック発生装置１７から出力される通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓ中第１の通話半径拡張用クロックである／ｒｅｇｉｏｎ１＿ｐｐ２ｓを前記領域１通話用基地局モデム１９−１に通話半径制御用クロック／ｒｅｇ１＿ｐｐ２ｓとして提供する役割もする。
【００１８】
図４は、本発明のチャネルカードを利用して具現可能な一般基地局の通話半径を示した図面であり、本発明のチャネルカードを通して６０Ｋｍの通話半径をカバーするようにする。図５と図６は本発明のチャネルカードを利用して具現可能な通話半径拡張用基地局の通話半径を示した図面であり、本発明のチャネルカードを通して各々１２０Ｋｍ、２４０Ｋｍまで通話半径が拡張された領域をカバーするようにする。
【００１９】
前記のように構成された本発明による基地局通話半径拡張用チャネルカードの動作を説明すると次のようである。
【００２０】
まず、データを移動局に送信する場合には、制御局からデータが入力されるとＨＤＬＣ部１１でデータを受け入れて制御部１５を通してＣＰＵ１２にインタラプトを発生させる。
【００２１】
続いて、ＣＰＵ１２では、前記ＨＤＬＣ部１１で入力されたデータを分析して領域１〜４通話用基地局モデム１９−１〜１９−４にデータを伝送する。領域１〜４通話用基地局モデム１９−１〜１９−４ではシステムクロック分配器１６から提供されるシステムクロックによってＣＰＵ１２で受けたデータを変調して直並列変換部２０に伝送する。
【００２２】
同時に直並列変換部２０では前記領域１〜４通話用基地局モデム１９−１〜４で受けたデータを並列データに変換させてＤ／Ａ変換部２１に伝送する。続いてＤ／Ａ変換部２１では直並列変換部２０で変換された並列データをアナログデータに変換してデータ送信部２２に伝送する。
【００２３】
そうすると、データ送信部２２では前記Ｄ／Ａ変換部２１で変換されたアナログデータをＩＦ変調部に伝送して移動局にデータが伝送されるようにする。
【００２４】
反対に、移動局で伝送されたデータを受信する場合には、ＩＦ復調部からデジタルデータが入力されると、領域１〜４通話用基地局モデム１９−１〜１９−４でこのデータを受けて復調して制御部１５を通してＣＰＵ１２にインタラプトを発生させる。
【００２５】
そうすると、ＣＰＵ１２では、前記領域１〜４通話用基地局モデム１９−１〜１９−４で復調されたデータを読み込みＨＤＬＣ形式に合うようにデータを変換させた後、ＨＤＬＣ部１１を通して制御局に伝送する。
【００２６】
一方、通話半径拡張によるチャネルカードの動作を説明すると次のとおりである。
【００２７】
まず、図２に示されたように、通話半径拡張用クロック発生装置１７は前記ＧＰＳクロック受信部１４から提供されるＧＰＳ基準信号１ＰＰＳを内部クロック発生器を通して変換して４個の通話半径拡張用クロックを発生する。すなわち、一般基地局で用いるための領域１（通話半径が６０Ｋｍ範囲）のクロック／ｒｅｇｉｏｎ１＿ｐｐ２ｓ、通話半径拡張のための領域２（通話半径が１２０Ｋｍ範囲）のクロック／ｒｅｇｉｏｎ２＿ｐｐ２ｓ、通話半径拡張のための領域３（通話半径が１８０Ｋｍ範囲）のクロック／ｒｅｇｉｏｎ３＿ｐｐ２ｓ、通話半径拡張のための領域４（通話半径が２４０Ｋｍ範囲）のクロック／ｒｅｇｉｏｎ４＿ｐｐ２ｓを発生して拡張用クロック制御部１８に提供する。
【００２８】
もし、６０Ｋｍの通話半径を有する一般基地局を具現する場合には、前記拡張用クロック制御部１８で前記通話半径拡張用クロック発生装置１７から出力される４個の通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓ中最初通話半径拡張クロックである／ｒｅｇｉｏｎ１＿ｐｐ２ｓが前記領域１通話用基地局モデム１９−１に入力されるように制御する。
【００２９】
すなわち、拡張用クロック制御部１８は、前記通話半径拡張用クロック発生装置１７から出力される通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓ中第１の通話半径拡張用クロックである／ｒｅｇｉｏｎ１＿ｐｐ２ｓを前記領域１通話用基地局モデム１９−１に通話半径制御用第１クロック／ｒｅｇ１＿ｐｐ２ｓとして直接出力させて、第１〜第３の４×１マックス１８−１〜１８−３が制御部１５から出力される‘０’の制御信号１、２、３を通して前記通話半径拡張用クロック発生装置１７の通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓ中第１の通話半径拡張用クロックである／ｒｅｇｉｏｎ１＿ｐｐ２ｓを選択して前記領域２〜４通話用基地局モデム１９−２〜４に通話半径制御用第２〜第４クロック／ｒｅｇ２＿ｐｐ２ｓ、／ｒｅｇ３＿ｐｐ２ｓ、／ｒｅｇ４＿ｐｐ２ｓとして出力させることによってあらゆる基地局モデムに６０Ｋｍの通話半径をカバーするための領域１用ＧＰＳ基準信号を出力することである。
【００３０】
そして、図５に示されたように、１２０Ｋｍの通話半径を有する通話半径拡張用基地局を具現する場合には、前記拡張用クロック制御部１８で前記通話半径拡張用クロック発生装置１７から出力される４個の通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓ中第１の通話半径拡張用クロックである／ｒｅｇｉｏｎ１＿ｐｐ２ｓが前記領域１、２通話用基地局モデム１９−１、１９−２に入力されて、２番目拡張用クロックである／ｒｅｇｉｏｎ１＿ｐｐ２ｓが前記領域３、４通話用基地局モデム１９−３、１９−４に入力されるように制御する。
【００３１】
すなわち、拡張用クロック制御部１８は、前記通話半径拡張用クロック発生装置１７から出力される通話半径拡張用クロック／ｒｅｇｉｏｎ１＿ｐｐ２ｓ、／ｒｅｇｉｏｎ２＿ｐｐ２ｓ、ｒｅｇｉｏｎ３＿ｐｐ２ｓ、／ｒｅｇｉｏｎ４＿ｐｐ２ｓ中第１の通話半径拡張用クロックである／ｒｅｇｉｏｎ１＿ｐｐ２ｓを前記領域１通話用基地局モデム１９−１に通話半径制御用第１クロック／ｒｅｇ１＿ｐｐ２ｓとして直接出力させて、第１の４×１マックス１８−１が制御部１５から出力される‘０’の制御信号１を通して前記通話半径拡張用クロック発生装置１７の通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓ中第１の通話半径拡張用クロックである／ｒｅｇｉｏｎ１＿ｐｐ２ｓを選択して前記領域２通話用基地局モデム１９−２に通話半径制御用第２クロック／ｒｅｇ＿ｐｐ２ｓとして出力させる。
【００３２】
そして、第２、第３の４×１マックス１８−２、３が制御部１５から出力される‘１’の制御信号２、３を通して前記通話半径拡張用クロック発生装置１７の通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓ中２番目通話半径拡張用クロックである／ｒｅｇｉｏｎ２＿ｐｐ２ｓを選択して前記領域３、４通話用基地局モデム１９−３、１９−４に通話半径制御用第３、第４クロック／ｒｅｇ３＿ｐｐ２ｓ、／ｒｅｇ４＿ｐｐ２ｓとして出力させることによって領域１、２通話用基地局モデム１９−１、１９−２に６０Ｋｍの通話半径をカバーするための領域１用ＧＰＳ基準信号を出力して、領域３、４通話用基地局モデム１９−３、１９−４に１２０Ｋｍの通話半径をカバーするための領域２用ＧＰＳ基準信号を出力する。
【００３３】
次に、図６に示されたように、１８０Ｋｍの通話半径を有する通話半径拡張用基地局を具現する場合には、前記拡張用クロック制御部１８で前記通話半径拡張用クロック発生装置１７から出力される４個の通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓ中第１の通話半径拡張用クロックである／ｒｅｇｉｏｎ１＿ｐｐ２ｓが前記領域１、２通話用基地局モデム１９−１、１９−２に入力されて、２番目拡張用クロックである／ｒｅｇｉｏｎ２＿ｐｐ２ｓが前記領域３通話用基地局モデム１９−３に入力され、３番目拡張用クロックである／ｒｅｇｉｏｎ３＿ｐｐ２ｓが前記領域４通話用基地局モデム１９−４に入力されるように制御する。
【００３４】
すなわち、拡張用クロック制御部１８は、前記通話半径拡張用クロック発生装置１７から出力される通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓ中第１の通話半径拡張用クロックである／ｒｅｇｉｏｎ１＿ｐｐ２ｓを前記領域１通話用基地局モデム１９−１に通話半径制御用第１クロック／ｒｅｇ１＿ｐｐ２ｓとして直接出力させて、第１の４×１マックス１８−１が制御部１５から出力される‘０’の制御信号１を通して前記通話半径拡張用クロック発生装置１７の通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓ中第１の通話半径拡張用クロックである／ｒｅｇｉｏｎ１＿ｐｐ２ｓを選択して前記領域２通話用基地局モデム１９−２に通話半径制御用第２クロック／ｒｅｇ２＿ｐｐ２ｓとして出力させる。
【００３５】
そして、第２の４×１マックス１８−２が制御部１５から出力される‘１’の制御信号２を通して前記通話半径拡張用クロック発生装置１７の通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓ中２番目通話半径拡張用クロックである／ｒｅｇｉｏｎ２＿ｐｐ２ｓを選択して前記領域３通話用基地局モデム１９−３に通話半径制御用第３クロック／ｒｅｇ３＿ｐｐ２ｓとして出力させて、第３の４×１マックス１８−３が制御部１５から出力される‘２’の制御信号３を通して前記通話半径拡張用クロック発生装置１７の通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓ中３番目通話半径拡張用クロックである／ｒｅｇｉｏｎ３＿ｐｐ２ｓを選択して前記領域４通話用基地局モデム１９−４に通話半径制御用第４クロック／ｒｅｇ４＿ｐｐ２ｓとして出力させることによって領域１、２通話用基地局モデム１９−１、１９−２に６０Ｋｍの通話半径をカバーするための領域１、２用ＧＰＳ基準信号を出力し、領域３通話用基地局モデム１９−３に１２０Ｋｍの通話半径をカバーするための領域３用ＧＰＳ基準信号を出力し、領域４通話用基地局モデム１９−４に１８０Ｋｍの通話半径をカバーするための領域３用ＧＰＳ基準信号を出力する。
【００３６】
次に、２４０Ｋｍの通話半径を有する通話半径拡張用基地局を具現する場合には、前記拡張用クロック制御部１８で前記通話半径拡張用クロック発生装置１７から出力される４個の通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓを各々前記領域１〜４通話用基地局モデム１９−１〜１９−４に入力されるように制御する。
【００３７】
すなわち、拡張用クロック制御部１８は、前記通話半径拡張用クロック発生装置１７から出力される通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓ中第１の通話半径拡張用クロックである／ｒｅｇｉｏｎ１＿ｐｐ２ｓを前記領域１通話用基地局モデム１９−１に通話半径制御用第１クロック／ｒｅｇ１＿ｐｐ２ｓとして直接出力させて、第１の４×１マックス１８−１が制御部１５から出力される‘１’の制御信号１を通して前記通話半径拡張用クロック発生装置１７の通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓ中２番目通話半径拡張用クロックである／ｒｅｇｉｏｎ２＿ｐｐ２ｓを選択して前記領域２通話用基地局モデム１９−２に通話半径制御用第２クロック／ｒｅｇ２＿ｐｐ２ｓとして出力させる。
【００３８】
そして、第２の４×１マックス１８−２が制御部１５から出力される‘２’の制御信号２を通して前記通話半径拡張用クロック発生装置１７の通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓ中３番目通話半径拡張用クロックである／ｒｅｇｉｏｎ３＿ｐｐ２ｓを選択して前記領域３通話用基地局モデム１９−３に通話半径制御用第３クロック／ｒｅｇ３＿ｐｐ２ｓとして出力させて、第３の４×１マックス１８−３が制御部１５から出力される‘３’の制御信号３を通して前記通話半径拡張用クロック発生装置１７の通話半径拡張用クロック／ｒｅｇｉｏｎ１＿ｐｐ２ｓ、／ｒｅｇｉｏｎ２＿ｐｐ２ｓ、／ｒｅｇｉｏｎ３＿ｐｐ２ｓ、／ｒｅｇｉｏｎ４＿ｐｐ２ｓ中４番目通話半径拡張用クロックである／ｒｅｇｉｏｎ４＿ｐｐ２ｓを選択して前記領域４通話用基地局モデム１９−４に通話半径制御用第４クロック／ｒｅｇ４＿ｐｐ２ｓとして出力させることによって領域１通話用基地局モデム１９−１に６０Ｋｍの通話半径をカバーするための領域１用ＧＰＳ基準信号を出力し、領域２通話用基地局モデム１９−２に１２０Ｋｍの通話半径をカバーするための領域２用ＧＰＳ基準信号を出力し、領域３通話用基地局モデム１９−３に１８０Ｋｍの通話半径をカバーするための領域３用ＧＰＳ基準信号を出力し、領域４通話用基地局モデム１９−４に２４０Ｋｍの通話半径をカバーするための領域４用ＧＰＳ基準信号を各々出力する。
【００３９】
【発明の効果】
以上で詳述した本発明の基地局通話半径拡張用チャネルカードによると、基地局モデムに供給されるＧＰＳ基準信号を制御することによって基地局の通話半径を最大４倍まで拡張でき、このように基地局の通話半径が拡張されることによって基地局設置が不可能な海やユーザーが少ない個所に基地局を新しく設けなくても通話が可能であり、追加的な基地局設置なく通話半径を拡張できるので基地局設置費用を節減できるようになる効果がある。
【００４０】
また、一つのチャネルカードを一般基地局はもちろん通話半径拡張用基地局で共通で使用できてチャネルカード開発費用を節減できる経済的な長所がある。
【図面の簡単な説明】
【図１】従来の基地局チャネルカードの構造を示した図である。
【図２】本発明による基地局通話半径拡張用チャネルカードの構造を示した図である。
【図３】図２の拡張用クロック制御部の一実施の形態を示した構成図である。
【図４】本発明のチャネルカードを利用して具現可能な一般基地局の通話半径を示した図である。
【図５】本発明のチャネルカードを利用して具現可能な通話半径拡張用基地局の通話半径を示した図である。
【図６】本発明のチャネルカードを利用して具現可能な通話半径拡張用基地局の通話半径を示した図である。
【符号の説明】
１４  ＧＰＳクロック受信部、１５  制御部、１６  システムクロック分配器、１７  通話半径拡張用クロック発生装置、１８  拡張用クロック制御部、１９−１〜１９−４  領域１〜４通話用基地局モデム。
【図１】
0003569722.tif 000002
【図２】
0003569722.tif 000003
【図３】
0003569722.tif 000004
【図４】
0003569722.tif 000005
【図５】
0003569722.tif 000006
【図６】
0003569722.tif 000007